(57)【要約】      （修正有）【課題】選択的なローカル情報を送信するためのシステムを提供する。【解決手段】システムは短距離無線リンクによって移動端末３へ情報を伝達するのに適した複数の情報ベース２を含んでいる。このシステムは、さらに、移動端末３と極短距離無線リンクを確立し、移動端末を識別するためのアドレスと移動端末の利用者から伝えられる個人情報とを情報ベースにアクセス可能なメモリ６に記憶するのに適したコンフィギュレーションベース１を備えている。【選択図】図１
2008017454.tif 000002
【特許請求の範囲】
【請求項１】
選択的なローカル情報を送信するための方法であって、選択的なローカル情報が所定の無線通信プロトコルを用いて短距離無線リンクによって複数の情報ベース（２）から少なくとも１台の移動端末（３）へ伝えられる少なくとも１つの情報ステップを含み、前記短距離無線リンクは２００ｍ未満の公称距離を有し、前記情報ベース（２）はセントラルサーバ（６）と通信しているものにおいて、
どの情報ステップよりも先に、これを最後に実行される初期識別ステップをさらに備え、
その初期識別ステップでは、
移動端末（３）がコンフィギュレーションベース（１；２）の近くに持ってこられると、前記無線通信コントロールを用いて、前記移動端末（３）と前記コンフィギュレーションベース（１；２）との間で２ｍ未満の公称距離を有する極短距離無線リンクが確立され、
前記無線通信プロトコルによって前記移動端末（３）を識別する少なくとも１つのアドレスと移動端末の使用によって伝えられる個人情報（一又は複数の情報を含む）とが前記セントラルサーバ（６）に保存されることを特徴とする方法。
【請求項２】
識別ステップの間に伝えられる個人情報は移動端末（３）のタイプを含み、そして、情報ステップの間、移動端末に送られる選択的なローカルデータは移動端末（３）のタイプに基づいて配列されることを特徴とする請求項１記載の方法。
【請求項３】
識別ステップの間に伝えられる個人情報は移動端末（３）の利用者の関心の中心の少なくとも１つを含み、そして、情報ステップの間、移動端末に送られる選択的なローカルデータは前記関心の中心に基づいていることを特徴とする請求項１又は２記載の方法。
【請求項４】
選択的なローカル情報を送信するためのシステムであって、所定の無線通信プロトコルを用い短距離無線リンクによって少なくとも１つの移動端末（３）へ情報を伝達するのに適した複数の情報ベース（２）を含み、前記短距離無線リンクは２００ｍ未満の公称距離を有し、前記情報ベース（２）はセントラルサーバ（６）と通信しているものにおいて、
前記無線通信コントロールを用いて前記移動端末（３）と極短距離無線リンクを確立するのに適した少なくとも１つのコンフィギュレーションベース（１；２）をさらに備え、
前記極短距離無線リンクは２ｍ未満の公称距離を有し、
前記コンフィギュレーションベース（１；２）は、前記無線通信プロトコルによって前記移動端末（３）を識別する少なくとも１つのアドレスと移動端末の利用者によって伝えられる少なくとも１つの個人情報とを前記セントラルサーバ（６）に保存するのに適していることを特徴とするシステム。
【請求項５】
極短距離無線リンクは５０ｃｍ未満の公称距離を有することを特徴とする請求項４記載のシステム。
【請求項６】
前記コンフィギュレーションベース（１；２）は、前記個人情報を前記移動端末（３）に入力するよう移動端末の利用者に要求し、それから前記個人情報をダウンロードするのに適していることを特徴とする請求項４又は５記載のシステム。
【請求項７】
前記コンフィギュレーションベース（１；２）は、移動端末のタイプを入力するよう移動端末（３）の利用者に要求し、移動端末のタイプを前記メモリ（６）に保存するのに適しており、
前記情報ベース（２）は、移動端末（３）に送られる選択的なローカルデータを移動端末のタイプに基づいて配列するのに適していることを特徴とする請求項６記載のシステム。
【請求項８】
前記コンフィギュレーションベース（１；２）は、関心の中心を提供するよう移動端末（３）の利用者に要求し、この関心の中心を前記メモリ（６）に保存するのに適しており、
前記情報ベース（２）は、移動端末（３）に送られる選択的なローカルデータを前記関心の中心に基づいて選択するのに適していることを特徴とする請求項４乃至７の何れか１項に記載のシステム。
【請求項９】
前記無線通信プロトコルはＢＬＵＥＴＯＯＴＨ、ＺＩＧＢＥＥ及びＷＩ−ＦＩプロトコルから選ばれることを特徴とする請求項４乃至８の何れか１項に記載のシステム。
【発明の詳細な説明】
【技術分野】
【０００１】
本発明は選択的なローカル情報を送信するための方法及びシステムに関する。
【背景技術】
【０００２】
より詳しくは、本発明は、選択的なローカル情報の送信方法に関するものであって、選択的なローカル情報（すなわち、特に情報ベースの位置に基づいて、また、必要に応じて移動端末に基づいて選ばれたローカル情報）が、所定の無線通信プロトコルを用いて、短距離無線リンクによって複数の情報ベースから少なくとも１台の移動端末へ伝えられる少なくとも１つの情報ステップを含み、前記の短距離無線リンクは２００ｍ未満の公称距離を有し、前記の情報ベースはセントラルサーバと通信しているものに関する。
【０００３】
ＷＯ−Ａ−０１／８９１８９号公報には、そのような方法の例について記載されている。
【特許文献１】ＷＯ−Ａ−０１／８９１８９号公報
【発明の開示】
【発明が解決しようとする課題】
【０００４】
本発明の目的は、特に移動端末の利用者の識別を容易にするために、このタイプの方法をさらに改善することにある。
【課題を解決するための手段】
【０００５】
このため、本発明によれば、当該方法が以下の初期識別ステップをさらに含むという点で特徴づけられる。その初期識別ステップはどの情報ステップよりも先に、これを最後に実行されるものであって、その初期識別ステップでは、
−  移動端末がコンフィギュレーションベースの近くに持ってこられると、前記無線通信コントロールを用いて、前記移動端末と前記コンフィギュレーションベースとの間で２ｍ未満の公称距離を有する極短距離無線リンクが確立され、
−  前記無線通信プロトコルによって前記移動端末を識別する少なくとも１つのアドレスと移動端末の使用によって伝えられる個人情報（一又は複数の情報を含む）とが前記セントラルサーバに保存される。
【０００６】
これらによれば、その後に移動端末がある情報ベースによってカバーされている地域に入ったときには、短距離無線リンクが移動端末と情報ベースとの間で確立されたときに移動端末のアドレスは情報ベースに伝えられる。その結果、前記情報ベースは前記の個人アドレスと関連した個人情報を見つけることができ、それにより移動端末に送られる情報を個人別にカスタマイズすることができる。
【０００７】
本発明にかかる方法の様々な実施の形態においては、以下のようにアレンジすることも可能である。
【０００８】
−  識別ステップの間に伝えられる個人情報は移動端末のタイプを含み、そして、情報ステップの間、移動端末に送られる選択的なローカルデータは移動端末のタイプに基づいて配列される。
−  識別ステップの間に伝えられる個人情報は移動端末の利用者の関心の中心の少なくとも１つを含み、そして、情報ステップの間、移動端末に送られる選択的なローカルデータは前記関心の中心に基づいている。
【０００９】
さらに、本発明のもう１つの対象は、選択的なローカル情報を送信するためのシステムである。そのシステムは、所定の無線通信プロトコルを用い短距離無線リンクによって少なくとも１つの移動端末へ情報を伝達するのに適した複数の情報ベースを含み、前記短距離無線リンクは２００ｍ未満の公称距離を有し、前記情報ベースはセントラルサーバと通信しているものにおいて、前記無線通信コントロールを用いて前記移動端末と極短距離無線リンクを確立するのに適した少なくとも１つのコンフィギュレーションベースをさらに備え、前記極短距離無線リンクは２ｍ未満の公称距離を有し、前記コンフィギュレーションベースは、前記無線通信プロトコルによって前記移動端末を識別する少なくとも１つのアドレスと移動端末の利用者によって伝えられる少なくとも１つの個人情報とを前記セントラルサーバに保存するのに適していることを特徴としている。
【００１０】
本発明にかかるシステムの様々な実施の形態においては、以下のようにアレンジすることも可能である。
−  極短距離無線リンクは５０ｃｍ未満の公称距離を有する。
−  前記コンフィギュレーションベースは、前記個人情報を前記移動端末に入力するよう移動端末の利用者に要求し、それから前記個人情報をダウンロードするのに適している。
−  前記コンフィギュレーションベースは、移動端末のタイプを入力するよう移動端末の利用者に要求し、移動端末のタイプを前記メモリに保存するのに適しており、前記情報ベースは、移動端末に送られる選択的なローカルデータを移動端末のタイプに基づいて配列するのに適している。
−  前記コンフィギュレーションベースは、移動端末のタイプを入力するよう移動端末の利用者に要求し、移動端末のタイプを前記メモリに保存するのに適しており、前記情報ベースは、移動端末に送られる選択的なローカルデータを前記関心の中心に基づいて選択するのに適している。
−  前記無線通信プロトコルはＢＬＵＥＴＯＯＴＨ、ＺＩＧＢＥＥ及びＷＩ−ＦＩプロトコルから選ばれる。
【００１１】
本発明のその他の特徴と長所は、添付の図面を参照した、非限定的な例示目的である２つの実施の形態に関する以下の記述を通して明らかとなるであろう。
【発明を実施するための最良の形態】
【００１２】
各図面では、同一或いは同様の要素を指定するのに同じ符号が使用されている。
【００１３】
図１は、少なくとも１つの一般に固定されたコンフィギュレーションベース１（ＣＯＮＦ．）（本発明にかかるシステムはいくつかのコンフィギュレーションベース１を含んでいることが望ましい）と、特定の地域、例えば都市地域に展開された複数の情報ベース２（ＩＮＦ．）とを含んだ情報伝達システムを示している。必要に応じて、好ましい構成ではないが、情報ベース２の数は１まで減らすことができる。
【００１４】
ベース１，２の何れも、所定の無線通信プロトコル、例えば、ＢＬＵＥＴＯＯＴＨプロトコル（ＩＥＥＥ規格８０２.１５.１）、ＺＩＧＢＥＥプロトコル（ＩＥＥＥ規格８０２.１５.４）又はＷＩ−ＦＩプロトコル（ＩＥＥＥ規格８０２.１１）に従った無線リンクを介した移動端末３との通信に適している。
【００１５】
コンフィギュレーションベース１の無線リンクは極短い公称距離（例えば、基準条件下にて規定される距離）に限定される。詳しくは、その公称距離は、数センチメートルのオーダーであって、あらゆる場合において２ｍ未満で望ましくは５０ｃｍ未満（例えば１０ｃｍ未満）である。その一方で、情報ベース２は数十メートル且つ大体２００ｍ未満の公称距離を持つ短距離無線リンクが可能になっている。コンフィギュレーションターミナル１の極短距離無線リンクによってカバーされる地理的地域は、図１中に境界線１ａによってその輪郭が描かれる。また、情報ターミナル２の短距離無線リンクによってカバーされる地理的地域は、図１中に境界線２ａによってその輪郭が描かれる。
【００１６】
移動端末３は、例えば、上記の無線通信プロトコル（例えば、前述のＢＬＵＥＴＯＯＴＨやＺＩＧＢＥＥ）に従って動作する短距離無線インタフェースを備えた携帯電話や、ＰＤＡや、そのような無線リンクインタフェースを有し且つスクリーン３ａのような出力インタフェースとキーパッド３ｂやそれに類したもののような入力インタフェースを備えている他の電子機器であってもよい。
【００１７】
コンフィギュレーションベース１と情報ベース２はそれ自体が電子機器であって、それぞれ以下のものを含んでいる。
−  マイクロプロセッサー、マイクロコントローラまたはそれに類するもののような電子中央演算処理装置４（ＣＰＵ）。
−  中央演算処理装置４に接続していて、たとえば、当該地域の全てのベース１，２に共通でありえるセントラルサーバ６（ＳＥＲＶ．）（ベース１，２とサーバとの間の通信は有線又は無線リンクによって行なわれる）との通信に適した第１の通信インタフェース５（ＣＯＭ１）。
−  中央演算処理装置４に接続していて、前記の無線リンク（コンフィギュレーションベース１用としては極短距離のもの、情報ベース２用としては短距離のもの）を行なうのに適した第２の通信インタフェース（ＣＯＭ２）。
【００１８】
コンフィギュレーションベース１はさらにスクリーン８のような出力インタフェースやキーパッド９のような入力インタフェースを含んでいてもよい。ただし、それらは中央演算処理装置４に接続されている。
【００１９】
以上説明した情報伝達システムは以下の通りに機能する。
【００２０】
利用者が選択的なローカル情報、例えば自身がいる場所と自身の個人的な関心の中心に応じた情報を受け取りたいときには、情報伝達システムにより初期識別ステップを開始する。
【００２１】
この目的のため、利用者がコンフィギュレーションターミナル１の直ぐそばまで自分の移動端末３を持ってくると、移動端末３は、前記の極短距離無線リンクを通して前記コンフィギュレーションベース１と通信を開始することができる。
【００２２】
無線通信プロトコルはアドホックネットワークを確立するのに適しているので、このリンクは自動的に確立される。
【００２３】
リンクが確立されたときには、コンフィギュレーションベースは移動端末３から、使用している無線通信プロトコルにてこの移動端末を特定するためのユニークなアドレスコードを受け取る。それがＢＬＵＥＴＯＯＴＨプロトコルを含むならば、当該アドレスはＭＡＣアドレスである。なお、無線リンクが極短距離であることを考慮すると、コンフィギュレーションベース１が受け取るアドレスが正しい移動端末３のそれであることには間違いは無い。
【００２４】
一旦無線リンクが移動端末３とコンフィギュレーションベース１との間で確立されると、コンフィギュレーションベース１は移動端末３の利用者に個人情報を要求することができる。その個人情報には、例えば、以下から選ばれる一以上の個人情報を含んでいる。
−  移動端末のタイプ（このタイプとは、例えば、メーカーのブランドとそのメーカーの製品ライン内におけるモデル名）。
−  移動端末３の利用者の１以上の関心の中心。
【００２５】
上記の個人情報はコンフィギュレーションベースのスクリーン８を用いて利用者に要求され、利用者の回答は、例えば、前記コンフィギュレーションベースの入力インタフェース９を用いて供給される。
【００２６】
なお、別の案として、移動端末３がコンフィギュレーションベース１と通信を開始した後、サービス会社の者が当該個人情報をコンフィギュレーションベース１に入力するのでもよく、或いはサーバ６に直接入力するのでもよい。
【００２７】
コンフィギュレーションベース１は移動端末のアドレスと上記の個人情報とを集めると、そのアドレスと個人情報とをサーバ６に送信する（個人情報がセールススタッフによって直接サーバ６に入力される場合には、コンフィギュレーションベース１はサーバ６に移動端末３のアドレスを通信するのみとなる）。
【００２８】
一旦、初期識別ステップが完了したら、移動端末３は情報ベース２から選択的なローカル情報、例えば、各情報ベースの位置、及び／又は、識別ステップにてサーバ６に伝えられた個人情報に応じた情報を受信できるようになる。
【００２９】
このように移動端末３が情報ターミナル２の領域２ａの中に入るたびに情報ステップが発生し、前記の無線通信プロトコルに従って移動端末３と情報ベース２との無線通信が自動的に開始される。この通信が確立されたとき、情報ベース２は前記の無線通信プロトコルに従って移動端末３を特定するアドレスを受信し、このアドレスと一致している個人情報の全部または一部を受け取るためにサーバ６に問い合わせを行なう。
【００３０】
その結果、例えば、サーバ６は、移動端末３のタイプと移動端末３の利用者の関心の中心とを情報ベース２に送ることができる。情報ベース２は、それから、局所的に保存された、若しくは保存されていない情報データベースから利用者の関心の中心と一致している情報を選び、この情報を移動端末３と互換性を持つフォーマットで短距離無線リンクを通して移動端末３に送信する。その結果、利用者は、自分の移動端末３のスクリーン３ａで前記の情報を調べることができる。
【００３１】
情報データベースがサーバ６だけに集中される可能性がある点に注意されたい。その場合には、情報ベース２からの問い合わせに対してサーバ６は情報を伝える。その情報とは、一方においては、移動端末３のタイプであり、他方においては、直接に、移動端末３の利用者の関心の中心に関する情報である。
【００３２】
非限定的な例示を目的として、情報ベース２の例を図２及び３に示す。それは、例えば、自動の自転車賃貸ステーション１３に備えられる対話式ターミナルとして構成することができる。図２に示す例では、この対話式ターミナルは、スクリーン８とキーパッド９に加えて、アクセスカードまたは支払いカードのような電子携帯用カードリーダ１０と、例えば支払いカード口座から引き落とされる支払い額や引き落としの承認を確認するためのチケット印刷装置１１とを含んでいる。
【００３３】
対話式ターミナル２に加えて、自動の自転車賃貸ステーションはポスト又はそれに類するもののような複数の固定装置１２を含んでいる。そして、この固定装置１２に賃貸される自転車１３を固定できるようになっている。
【００３４】
固定装置１２は、例えば、ＷＯ−Ａ−０２／０９５６９８号公報やＷＯ−Ａ−２００６／０２１６５０号公報に記載されているように対話式ターミナル２によって制御することができる。
【００３５】
このように、選択的なローカル情報を送るためにシステムに登録されている利用者が自転車１３を借りるか、それを返すときには、利用者は情報ベース２の領域２ａに入ることになる。その領域は、固定装置１２による自転車１３の保管エリアと大体において一致させることができる。
【００３６】
利用者の移動端末３は、それから、たとえば地域の地図、必要に応じて最も近い公共輸送駅が載っている地図や、モニュメントに関する情報、若しくは自転車賃貸ステーションから最も近い観光名所に関する情報、或いはそれらに類するものを受信する。
【００３７】
必要があれば、情報ターミナル２は、自転車１３が借りられるときでなく、自転車１３が固定装置１２に固定されたことで自転車１３が返却されたことを検出した場合のみ、当該情報を送ることができる。
【００３８】
変形例として、図４に示すように、対話式端末２はさらなる通信インタフェース（ＣＯＭ３）を備えていてもよい。これは、前記の無線通信プロトコルに従って動作するが、先にコンフィギュレーションターミナル１で規定したように極短距離のものである。その結果、対話式端末２は同時に情報ターミナルとコンフィギュレーションターミナルとしての機能を果たすことができる。
【図面の簡単な説明】
【００３９】
【図１】本発明の実施の形態１の情報伝達システムのブロック図である。
【図２】図１のシステムに属する情報ターミナルを含む自動の自転車賃貸ステーションを示す斜視図である。
【図３】図２の情報ターミナルのブロック図である。
【図４】本発明の実施の形態２における図３と同様のブロック図である。
【符号の説明】
【００４０】
１  コンフィギュレーションベース（コンフィギュレーションターミナル）
１ａ  コンフィギュレーションベースがカバーする領域
２  情報ベース（情報ターミナル）
２ａ  情報ベースがカバーする領域
３  移動端末
３ａ  スクリーン
３ｂ  キーパッド
４  中央演算処理装置
５  通信インタフェース（ＣＯＭ１）
６  サーバ（メモリ）
７  通信インタフェース（ＣＯＭ２）
８  スクリーン
９  キーパッド
１０  電子携帯用カードリーダ
１１  チケット印刷装置
１２  固定装置
１３  自転車
【図１】
2008017454.tif 000003
【図２】
2008017454.tif 000004
【図３】
2008017454.tif 000005
【図４】
2008017454.tif 000006
【外国語明細書】
2008017454.tif 000007
2008017454.tif 000008
2008017454.tif 000009
2008017454.tif 000010
2008017454.tif 000011
2008017454.tif 000012
2008017454.tif 000013
2008017454.tif 000014
2008017454.tif 000015
2008017454.tif 000016
【図１】
2008017454.tif 000017
【図２】
2008017454.tif 000018
【図３】
2008017454.tif 000019
【図４】
2008017454.tif 000020